(57)【要約】【課題】デジタルコンテンツを表示可能な電子機器において、表示されるデジタルコンテンツを統一的に扱い、ユーザの利便性を向上させることが課題になっていた。【解決手段】実施形態の電子機器は、コンテンツに関連する情報を用いてコンテンツ情報を作成し、記憶するコンテンツ情報作成部を備える。  また、前記記憶されたコンテンツ情報から、予め設けられたルールに基づいて、次に表示を行うコンテンツである次コンテンツを指定し、その表示方法を決定する次コンテンツ指定部を備える。  また、前記次コンテンツの表示準備を行い、前記次コンテンツの前に表示される前コンテンツの終了と前記次コンテンツの表示の指示を行う次コンテンツ表示指示部を備える。【選択図】  図１
2014229941.tif 000002
【特許請求の範囲】
【請求項１】
コンテンツに関連する情報を用いてコンテンツ情報を作成し、記憶するコンテンツ情報作成部と、
前記記憶されたコンテンツ情報から、予め設けられたルールに基づいて、次に表示を行うコンテンツである次コンテンツを指定し、その表示方法を決定する次コンテンツ指定部と、
前記次コンテンツの表示準備を行い、前記次コンテンツの前に表示される前コンテンツの終了と前記次コンテンツの表示の指示を行う次コンテンツ表示指示部を備える電子機器。
【請求項２】
前記予め設けられたルールは、少なくとも表示機能を切り替える動作の実施前には設定される、請求項１に記載の電子機器。
【請求項３】
前記予め設けられたルールは、変更可能に構成される、請求項１に記載の電子機器。
【請求項４】
前記予め設けられたルールは、推薦情報や嗜好情報が参照される、請求項１に記載の電子機器。
【請求項５】
前記次コンテンツの表示方法は、それぞれのコンテンツの種別に応じて決定される、請求項１に記載の電子機器。
【請求項６】
コンテンツに関連する情報を用いてコンテンツ情報を作成し、記憶するステップと、
前記記憶されたコンテンツ情報から、予め設けられたルールに基づいて、次に表示を行うコンテンツである次コンテンツを指定し、その表示方法を決定するステップと、
前記次コンテンツの表示準備を行い、前記次コンテンツの前に表示される前コンテンツの終了と前記次コンテンツの表示の指示を行うステップを備え、電子機器を制御する電子機器の制御方法。
【請求項７】
コンテンツに関連する情報を用いてコンテンツ情報を作成し、記憶するステップと、
前記記憶されたコンテンツ情報から、予め設けられたルールに基づいて、次に表示を行うコンテンツである次コンテンツを指定し、その表示方法を決定するステップと、
前記次コンテンツの表示準備を行い、前記次コンテンツの前に表示される前コンテンツの終了と前記次コンテンツの表示の指示を行うステップを備え、電子機器を制御する電子機器の制御プログラム。
【発明の詳細な説明】
【技術分野】
【０００１】
本発明の実施形態は、  電子機器、電子機器の制御方法、電子機器の制御プログラムに関する。
【背景技術】
【０００２】
近年、電子機器が多様の媒体に接続可能になり、例えば、ひとつの電子機器が扱うことが可能なデジタルコンテンツも多彩になっている。それに伴い、デジタルコンテンツを扱う表示機能も増加しつつある。
【０００３】
そして、例えば、あるデジタルコンテンツを表示する際には、ユーザが、デジタルコンテンツ毎に異なる表示機能からコンテンツを選択する、もしくは、ユーザが選択したデジタルコンテンツに合わせて電子機器が自動で表示機能を切り換える、という方法が一般的になってきている。
【０００４】
しかし、これらの方法では、ユーザが、興味を持つデジタルコンテンツを探す場合に、例えば、デジタルコンテンツのカテゴリにより、さまざまな種類の表示機能を立ち上げて、ユーザが切り替えながら視聴、閲覧しなければならなかった。
【０００５】
また、これまで、放送番組または画像など、同一カテゴリのデジタルコンテンツを自動で切り替える機能等の提案は存在したが、これらは、同一の表示機能で表示できるデジタルコンテンツの枠の中でだけの提案であり、ユーザに不便さが残っていた。
【０００６】
このため、デジタルコンテンツを表示可能な電子機器において、表示されるデジタルコンテンツを統一的に扱い、ユーザの利便性を向上させることが課題になっていた。
【先行技術文献】
【特許文献】
【０００７】
【特許文献１】特開２００２−３３５４５９号公報
【特許文献２】特開２００５−６４８３２号公報
【発明の概要】
【発明が解決しようとする課題】
【０００８】
デジタルコンテンツを表示可能な電子機器において、表示されるデジタルコンテンツを統一的に扱い、ユーザの利便性を向上させることが課題になっていた。
【課題を解決するための手段】
【０００９】
実施形態の電子機器は、コンテンツに関連する情報を用いてコンテンツ情報を作成し、記憶するコンテンツ情報作成部を備える。
【００１０】
また、前記記憶されたコンテンツ情報から、予め設けられたルールに基づいて、次に表示を行うコンテンツである次コンテンツを指定し、その表示方法を決定する次コンテンツ指定部を備える。
【００１１】
また、前記次コンテンツの表示準備を行い、前記次コンテンツの前に表示される前コンテンツの終了と前記次コンテンツの表示の指示を行う次コンテンツ表示指示部を備える。
【図面の簡単な説明】
【００１２】
【図１】実施形態に係わる電子機器の構成を示すブロック図。
【図２】実施形態に係わる電子機器の構成をより具体的に示すブロック図。
【図３】実施形態に係わる電子機器において、あるコンテンツが選択、表示される動作を説明するフローチャート。
【図４】実施形態に係わる電子機器において、スケジュ―リング処理と表示切り替え処理の流れを説明するフローチャート。
【図５】実施形態に係わる電子機器における機能切り替えモードを説明するイメージ図。
【図６】データベースとコンテンツ情報収集機能が別の電子機器に構成される場合の、他の実施形態に係わる電子機器の構成を示すブロック図。
【図７】コンテンツ情報収集機能が別装置に構成される場合の、他の実施形態に係わる電子機器の構成を示すブロック図。
【発明を実施するための形態】
【００１３】
以下、図面を参照し、実施の形態を説明する。
【００１４】
図１は、実施形態に係わる電子機器の構成を示すブロック図である。
【００１５】
ここで、デジタルコンテンツとは、例えば、放送番組、録画番組、Ｗｅｂ上のコンテンツ（例えば、動画サイトの動画、ニュースサイト）、ユーザが保持している画像、動画など、視聴／閲覧機能とはWeb閲覧、放送視聴、録画再生、画像閲覧などを指す。
【００１６】
ここでは、電子機器１は、「コンテンツ情報を集める情報処理部」１１、「コンテンツ情報を保持するコンテンツ情報データベース」１２、「コンテンツの表示順、時間、表示方法を決定する表示コンテンツのスケジューリング処理部」１３、「実際に決められたスケジューリングに則り、表示処理を指示するコンテンツ切り替え管理部」１４、ならびに「表示機能あるいはコンテンツにより表示機能を個別に制御する表示機能制御部」１５、「表示機能処理部」１６を備えている。
【００１７】
すなわち、図１に示すように、この実施形態の電子機器は、例えば、コンテンツに関連する情報を用いてコンテンツ情報を作成し、記憶するコンテンツ情報作成部（１１、１２等）を備えている。
【００１８】
また、前記記憶されたコンテンツ情報から、予め設けられたルールに基づいて、次に表示を行うコンテンツである次コンテンツを指定し、その表示方法を決定する次コンテンツ指定部（１３等）を備えている。
【００１９】
また、前記次コンテンツの表示準備を行い、前記次コンテンツの前に表示される前コンテンツの終了と前記次コンテンツの表示の指示を行う次コンテンツ表示指示部（１４等）を備えている。
【００２０】
また、「コンテンツ情報を集める情報処理部」１１、「表示機能あるいはコンテンツにより表示機能を個別に制御する表示機能制御部」１５、「表示機能処理部」１６については、図２を用いて具体的にする。
【００２１】
図２は、実施形態に係わる電子機器の構成をより具体的に示すブロック図である。
【００２２】
図１および図２に示すように、「コンテンツ情報データベース」１２では、切り替えモードの対象となるコンテンツの情報を管理する。切り替えモードとは、このシステムで実現する表示の切り替え機能が有効になっている状態を指している。
【００２３】
このコンテンツの情報は、例えば、人名やカテゴリ名(グルメ、旅行)などのキーワード、更新、登録、放送などした日付、あるいは、もし可能であれば、お勧め度の数値である。
【００２４】
この実施形態においては、例えば、このデータベース（「コンテンツ情報データベース」１２）をもとにして、コンテンツのスケジューリングが行われる。
【００２５】
また、「コンテンツ情報を集める情報処理部」１１では、電子機器１内で必要な情報を用いてコンテンツ情報を作成、または、電子機器１の外部にあるデータベースから必要なコンテンツ情報を取得する、などの処理を行う。
【００２６】
そして、少なくとも、表示機能を切り替える等の機能切り替えモードの実施前には、予め、コンテンツ情報のデータベースを作成しておき、コンテンツ情報は順次更新するようにすることが望ましい。
【００２７】
例えば、放送番組は、適宜、番組情報を取得し、追加するようにしても良い。また、新しいコンテンツ候補に対しても、順次、情報を作成し、追加ようにしても良い。
【００２８】
例えば、放送番組に対しては、ＥＰＧ（Ｅｌｅｃｔｒｏｎｉｃ Ｐｒｏｇｒａｍ Ｇｕｉｄｅ、電子番組表）の番組情報と、ネットワーク上の番組関連情報を掛け合わせて、コンテンツ情報を作成する。
【００２９】
また、例えば、図２の１１に示すように、画像解析処理で情報を処理しても良い。
【００３０】
この画像解析処理では、例えば、録画や動画サイトなどの映像コンテンツに対して、映像中から抜き出した顔画像をサーバ上のＤＢ（データベース）と参照し、出演者情報を集めるようにしても良い。
【００３１】
また、同様に、例えば、映像中から文字列解析処理で情報を解析処理しても良い。
【００３２】
この文字列解析処理では、例えば、Ｗｅｂページや静止画に対して、コンテンツ上の文字列から特徴的なキーワードを抜き出すことによって情報を集めるようにしても良い。
【００３３】
また、上記説明した複数の処理を適宜組み合わせて行い、情報を収集するようにしても良い。
【００３４】
また、例えば、コンテンツ情報処理１１を代替する、外部の電子機器１があれば、特にコンテンツ情報処理１１を備えなくても良い。
【００３５】
また、「表示コンテンツのスケジューリング処理部」１３では、コンテンツ種別や情報、ユーザの嗜好情報（例えば、電子機器１に予め登録された情報、あるいは外部から取得した情報)、あるいは、コンテンツ表示履歴などにより、コンテンツの表示順、時間、表示方法を決定する。
【００３６】
また、ここでは機能切り替えモード実施前に、予め、コンテンツ選択、表示方法選択や時間設定のルールを作成しておく（「予め設けられたルール」）。
【００３７】
また、この実施形態においては、この「予め設けられたルール」（ルール）は、状況により変えることができる。
【００３８】
すなわち、このルールは、固定のほか、電子機器１内外に蓄積された推薦情報、嗜好情報などを参照して決定される。
【００３９】
例えば、「予め設けられたルール」の決定手順としては、まず、電子機器１が、コンテンツ情報と嗜好情報からお勧め度を算出し、お勧め度が高いが、履歴にないジャンルのコンテンツを選択する。
【００４０】
そして、選択されたコンテンツに対して、お勧め度の数値から表示時間を決定し、コンテンツ種別と情報から、表示方法を決定する。
【００４１】
表示方法は、例えば、ニュースサイトのトップページはスクロール表示する、あるいは、画像の貼ってあるページは画像を見ることができる範囲を静止して表示する、また、放送番組で、データ放送を活用している番組なら、データ放送を表示させて視聴する、などである。
【００４２】
そして、「コンテンツ切り替え管理部」１４では、実際に決められたスケジューリングに則り、表示の準備、開始、終了の切り替え処理を指示する。
【００４３】
また、この切り替えモードには、コンテンツの表示方法に関して設定(以下、表示ルール設定)が可能であり、電子機器１は、表示機能制御部１５に指示して実施する。
【００４４】
「表示機能制御部」１５では、例えば、表示機能あるいはコンテンツにより、表示機能を個別に制御する。
【００４５】
そして、コンテンツ切り替え管理部１４から指示を受け取り、表示中の細かな見せ方に関して、必要に応じて、処理を行う。
【００４６】
例えば、スクロール表示を指示されれば、指定された範囲を表示時間で一巡するような速さでスクロールを実施する。
【００４７】
なお、この「表示ルール設定」によっては、例えば、全てスクロール表示、全てページの固定表示など、コンテンツ間で統一的に表示ルールを扱うようにしても良い。
【００４８】
図３は、実施形態に係わる電子機器において、あるコンテンツが選択、表示される動作を説明するフローチャートである。
【００４９】
図３は、例えば、あるコンテンツが表示されるまでの処理の一例を示している。
【００５０】
ここでは、まず、コンテンツと関連情報の形で入ってきた情報を、比較処理可能なコンテンツ情報の形に変換してデータベースに登録する（３１、３２）。
【００５１】
次に、スケジューリングでは、データベースのなかのコンテンツ情報から、ルールに従い、最適なコンテンツを、次に表示するものとして選択する（３３）。
【００５２】
そして、選択されたコンテンツの性質により、表示時間と方法を決定する３４。
【００５３】
また、事前に、表示機能の準備処理を行っておき、現在表示しているコンテンツの表示終了時刻に切り替え処理を行う。表示中には決定した表示方法に沿って機能を制御し、終了時刻になれば切り替え処理を行う。
【００５４】
すなわち、ステップＳ３０は、ここでの開始ステップである。続いて、ステップＳ３１に進む。
【００５５】
ステップＳ３１は、コンテンツ自体と関連情報からコンテンツ情報を作成するステップである。続いて、ステップＳ３２に進む。
【００５６】
ステップＳ３２は、作成したコンテンツ情報をコンテンツ情報データベース１２へ登録するステップである。続いて、ステップＳ３３に進む。
【００５７】
ステップＳ３３は、データベース１２に登録されたコンテンツ情報から、予め設けられたルールに従って、次に表示を行うコンテンツ（次コンテンツ）を選択指定するステップである。続いて、ステップＳ３４に進む。
【００５８】
ステップＳ３４は、次コンテンツの表示時間、表示方法を決定するステップである。続いて、ステップＳ３５に進む。
【００５９】
ステップＳ３５は、次コンテンツの表示準備を行うステップである。続いて、ステップＳ３６に進む。
【００６０】
ステップＳ３６は、前コンテンツの終了と次コンテンツの表示開始処理を行うステップである。続いて、ステップＳ３７に進む。
【００６１】
ステップＳ３７は、次コンテンツの表示機能を制御するステップである。続いて、ステップＳ３８に進む。
【００６２】
ステップＳ３８は、コンテンツの表示を終了するステップである。続いて、ステップＳ３９に進む。
【００６３】
ステップＳ３９は、終了ステップであり、ここでの処理は終了する。
【００６４】
図４は、実施形態に係わる電子機器において、スケジュ―リング処理と表示切り替え処理の流れを説明するフローチャートである。
【００６５】
すなわち、この実施形態の電子機器１においては、次に表示するコンテンツ（次コンテンツ）を、コンテンツのデータベースと、コンテンツ選択ルールを用いて決定する（４１）。
【００６６】
そして、次コンテンツの内容が決定された後に、次コンテンツの表示時間を、コンテンツの種類と情報、表示設定などから決定する（４２）。
【００６７】
例えば、録画コンテンツならば１０秒、Ｗｅｂサイトのうち、お気に入りサイトならば７秒、推薦サイトならば５秒、などと表示時間を決定する。
【００６８】
また、表示方法について、コンテンツの種類、性質などから決定する。
【００６９】
例えば、ニュースサイトはスクロール表示、録画コンテンツはプレビュー再生（頭から、または、話題のシーンから再生）などの表示方法を設定する。
【００７０】
そして、次コンテンツの内容、表示時間、ならびに、方法が決定されたら、表示処理に移る。
【００７１】
表示中の前コンテンツ（次コンテンツの前に表示されるコンテンツ）が終了する時刻に、次コンテンツの表示を開始できるように準備を行う（３３）。
【００７２】
終了時刻になれば、前コンテンツの終了とともに表示を開始する処理を行う（４４）。
【００７３】
また、必要な場合は、表示期間に表示機能の制御も行う（４５）。
【００７４】
図５は、実施形態に係わる電子機器における機能切り替えモードを説明するイメージ図である。
【００７５】
図５（ａ）は、機能切り替えモードが継続している場合の動作を説明する図である。
【００７６】
図５（ａ）に示すように、機能切り替えモードが継続している場合、電子機器１は、「放送視聴チャンネルＡ」５１、「インターネット閲覧サイトＢ」５２、「録画再生コンテンツＣ」５３と、自動的にコンテンツを切り替え、表示する（切り替えを繰り返す）。
【００７７】
図５（ｂ）切り替え中止イベントが発生した場合の動作を説明する図である。
【００７８】
図５（ｂ）に示すように、例えば、他機器からの指示やユーザ操作により、切り替え中止イベントが発生した場合、電子機器１は、コンテンツの切り替えを終了する。
【００７９】
ここでは、「録画再生コンテンツＣ」５３の表示中に、ユーザ操作（例えば。ボタン操作５４）により、切り替え中止イベントが発生し、これに応じて、コンテンツの切り替えを終了する。
【００８０】
そして、切り替え中止イベントが発生した際に、切り替え表示を行っていた「録画再生コンテンツＣ」５３を頭から再生する。
【００８１】
すなわち、この実施形態においては、例えば、コンテンツの切り替え表示の途中で機能切り替えモードの中止イベントが発生した場合、コンテンツの切り替えを中止し、規定された表示動作を継続する。
【００８２】
ここでは、規定された表示動作は、例えば、決定ボタン押下で再生継続、または、頭出しボタンを押下で表示コンテンツの頭から再生、あるいは、事前設定していたタイマが発動すると、ｗｅｂサイト閲覧継続、などの表示動作である。
【００８３】
図６は、データベースとコンテンツ情報収集機能が別の電子機器に構成される場合の、他の実施形態に係わる電子機器の構成を示すブロック図である。
【００８４】
例えば、この実施形態においては、データベース（コンテンツ情報データベース１２）とコンテンツ情報収集機能１１は電子機器１０１に構成され、電子機器１００とは別の電子機器に構成されている。
【００８５】
この実施形態においては、このように構成することも可能である。
【００８６】
図７は、コンテンツ情報収集機能が別装置に構成される場合の、他の実施形態に係わる電子機器の構成を示すブロック図である。
【００８７】
例えば、この実施形態においては、コンテンツ情報収集機能１１は電子機器１０１に構成され、データベース（コンテンツ情報データベース１２）は電子機器１００に構成されている。
【００８８】
この実施形態においては、このように構成することも可能である。
【００８９】
すなわち、この実施形態の電子機器は、例えば、コンテンツに関連する情報を用いてコンテンツ情報を作成し、記憶するコンテンツ情報作成部（１１、１２等）を備えている。
【００９０】
また、前記記憶されたコンテンツ情報から、予め設けられたルールに基づいて、次に表示を行うコンテンツである次コンテンツを指定し、その表示方法を決定する次コンテンツ指定部（１３等）を備えている。
【００９１】
また、前記次コンテンツの表示準備を行い、前記次コンテンツの前に表示される前コンテンツの終了と前記次コンテンツの表示の指示を行う次コンテンツ表示指示部（１４等）を備えている。
【００９２】
また、前記予め設けられたルールは、少なくとも表示機能を切り替える動作の実施前には設定されることが望ましい。
【００９３】
また、前記予め設けられたルールは、変更可能に構成されることが望ましい。
【００９４】
また、前記予め設けられたルールは、推薦情報や嗜好情報が参照される。
【００９５】
また、前記次コンテンツの表示方法は、それぞれのコンテンツの種別に応じて決定されるようにしても良い。
【００９６】
上記のように構成することによって、この実施の形態においては、デジタルコンテンツを表示可能な電子機器において、表示されるデジタルコンテンツを統一的に扱い、ユーザの利便性を向上させることが可能になる。
【００９７】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９８】
なお、上記実施形態は、記述そのものに限定されるものではなく、実施段階では、その趣旨を逸脱しない範囲で、構成要素を種々変形して具体化することが可能である。
【００９９】
また、上記実施形態に開示されている複数の構成要素の適宜な組み合せにより種々の発明を形成できる。
【０１００】
例えば、実施形態に示される全構成要素から幾つかの構成要素を削除してもよい。更に、異なる実施形態に亘る構成要素を適宜組み合せてもよい。
【符号の説明】
【０１０１】
１…電子機器、１１…コンテンツ情報を集める情報処理部、１２…コンテンツ情報データベース部、１３…コンテンツのスケジューリング処理部、１４…コンテンツ切り替え管理部、１５…機能制御部、１６…表示機能処理部、１７…中止トリガ制御部、２０…表示（描画）部。
【図１】
2014229941.tif 000003
【図２】
2014229941.tif 000004
【図３】
2014229941.tif 000005
【図４】
2014229941.tif 000006
【図５】
2014229941.tif 000007
【図６】
2014229941.tif 000008
【図７】
2014229941.tif 000009